(57)【要約】【課題】簡易な構成で小型であり、測定作業が容易で、さらに、電源が不要で、測定精度の高い内転筋群の筋力測定装置を提供する。【解決手段】シリンダー本体２ａに、その後面側から侵入させたピストンロッド２ｃによって進退動するピストン２ｂを内蔵したエアーシリンダー２と、シリンダー本体２ａの前面側から、軸心がピストンロッド２ｃの軸心と一直線をなすように前方に延設した軸棒３と、軸棒３の前端部に設けた第一膝当て部４と、ピストンロッド２ｃの後端部に設けた第二膝当て部５と、シリンダー本体２ａの前端部に、シリンダー本体２ａの内部と連通させて設けた圧力計６とで構成する。第一膝当て部４と第二膝当て部５を、使用者の両膝Ｇの内側で挟んで内方へ押圧して、シリンダー本体２ａのエアー圧力を上昇させ、上昇したエアー圧力を圧力計６で筋力として表示する。【選択図】図１
2008272039.tif 000002
【特許請求の範囲】
【請求項１】
内転筋群の筋力を測定する装置であって、
シリンダー本体に、その後面側から侵入させたピストンロッドによって進退動するピストンを内蔵したエアーシリンダーと、
前記シリンダー本体の前面側から、軸心が前記ピストンロッドの軸心と一直線をなすように前方に延設した軸棒と、
前記軸棒の前端部に設けた第一膝当て部と、
前記ピストンロッドの後端部に設けた第二膝当て部と、
前記シリンダー本体の前端部に、該シリンダー本体の内部と連通させて設けた圧力計と、からなり、
前記第一膝当て部と第二膝当て部を使用者の両膝の内側で挟んで内方へ押圧して、前記シリンダー本体のエアー圧力を上昇させ、該上昇したエアー圧力を前記圧力計で筋力として表示してなることを特徴とする内転筋群筋力測定装置。
【請求項２】
内転筋群の筋力を測定する装置であって、
シリンダー本体に、その後面側から侵入させたピストンロッドによって進退動するピストンを内蔵した油圧シリンダーと、
前記シリンダー本体の前面側から、軸心が前記ピストンロッドの軸心と一直線をなすように前方に延設した軸棒と、
前記軸棒の前端部に設けた第一膝当て部と、
前記ピストンロッドの後端部に設けた第二膝当て部と、
前記シリンダー本体の前端部に、該シリンダー本体の内部と連通させて設けた圧力計と、からなり、
前記第一膝当て部と第二膝当て部を使用者の両膝の内側で挟んで内方へ押圧して、前記シリンダー本体の油圧を上昇させ、該上昇した油圧を前記圧力計で筋力として表示してなることを特徴とする内転筋群筋力測定装置。
【請求項３】
前記第一膝当て部と第二膝当て部の膝に当接する面を、前記膝の内側形状に対応した横断面を前方に曲部を有する略Ｊ字状の湾曲面としたことを特徴とする請求項１または２に記載の内転筋群筋力測定装置。
【請求項４】
前記第一膝当て部と第二膝当て部の膝に当接する面を、前記膝の内側形状に対応した縦断面を外方に開口を有する略Ｃ字状の円弧面としたことを特徴とする請求項１乃至３のうちいずれか一つに記載の内転筋群筋力測定装置。
【請求項５】
前記エアーシリンダーのシリンダー本体の前端部に、該シリンダー本体の内部と連通させてエアーを自由に吸排気可能なエアーストップ弁を設けたことを特徴とする請求項１、３または４に記載の内転筋群筋力測定装置。
【請求項６】
前記軸棒をネジ棒で構成し、前記第一膝当て部を、前記シリンダー本体に対して回動自在および接離自在に取付けたことを特徴とする請求項１乃至５のうちいずれか一つに記載の内転筋群筋力測定装置。
【発明の詳細な説明】
【技術分野】
【０００１】
本発明は、内転筋群の筋力を測定するために使用される内転筋群筋力測定装置に関するものである。
【背景技術】
【０００２】
身体の脚部の内部には、内転筋群と称される筋肉群が存在する。この内転筋群は、恥骨筋、短内転筋、長内転筋、大内転筋、薄筋から構成され、いずれも大腿骨の内側に位置しており、日常生活において殆ど使われることのない筋肉である。
【０００３】
しかし、この内転筋群は、胴体の重量を大腿骨の内側から支え、また、胴体の筋肉を脚部に伝える上で重要な働きを担う。従って、内転筋群の衰えは、加齢による膝の痛みや、Ｏ脚などの原因となる。一方、内転筋群の強化は、俊敏な動きが要求されるスポーツ選手（ボクサー、格闘家、バスケットボール選手など）にとって重要である。
【０００４】
こうしたことから、自己の内転筋群の筋力を正確に把握しておくことが望ましく、これまでに内転筋群の筋力を測定する装置が創案されている（例えば、特許文献１および特許文献２参照）。
【特許文献１】実用新案登録第３０９９６３７号
【特許文献２】特開２００５−５２２６１号公報
【０００５】
これらの測定装置は、いずれも歪みセンサー部と、当該歪みセンサー部にケーブルで連結され、信号処理部などを備えた筋力評価部とで構成される。そして、センサー部で検出した歪みを、筋力評価部で電気処理して、筋力として表示するものである。
【発明の開示】
【発明が解決しようとする課題】
【０００６】
しかしながら、上記した従来の測定装置（特許文献１および特許文献２）は、歪みセンサー部と、それにケーブルで連結された筋力評価部とで構成され、当該筋力評価部は液晶ディスプレイのようなデータ表示部と、データをプリントアウトするプリンタを備えているので、装置が複雑で大掛かりであり、測定作業も面倒である。
さらに、測定に電源を必要とするので測定場所が限定される。
【０００７】
そこで、本発明の目的とするところは、簡易な構成で小型であり、測定作業が容易で、測定場所が限定されず、かつ測定精度の高い内転筋群の筋力測定装置を提供することにある。
【課題を解決するための手段】
【０００８】
上記の目的を達成するために、本発明の請求項１に記載の内転筋群筋力測定装置（１）は、内転筋群（Ｍ）の筋力を測定する装置であって、
シリンダー本体（２ａ）に、その後面側から侵入させたピストンロッド（２ｃ）によって進退動するピストン（２ｂ）を内蔵したエアーシリンダー（２）と、
前記シリンダー本体（２ａ）の前面側から、軸心が前記ピストンロッド（２ｃ）の軸心と一直線をなすように前方に延設した軸棒（３）と、
前記軸棒（３）の前端部に設けた第一膝当て部（４）と、
前記ピストンロッド（２ｃ）の後端部に設けた第二膝当て部（５）と、
前記シリンダー本体（２ａ）の前端部に、当該シリンダー本体（２ａ）の内部と連通させて設けた圧力計（６）と、からなり、
前記第一膝当て部（４）と第二膝当て部（５）を使用者の両膝（Ｇ）の内側で挟んで内方へ押圧して、前記シリンダー本体（２ａ）のエアー圧力を上昇させ、当該上昇したエアー圧力を前記圧力計（６）で筋力として表示してなることを特徴とする。
【０００９】
また、請求項２に記載の内転筋群筋力測定装置（１）は、内転筋群（Ｍ）の筋力を測定する装置であって、
シリンダー本体（１０ａ）に、その後面側から侵入させたピストンロッド（１０ｃ）によって進退動するピストン（１０ｂ）を内蔵した油圧シリンダー（１０）と、
前記シリンダー本体（１０ａ）の前面側から、軸心が前記ピストンロッド（１０ｃ）の軸心と一直線をなすように前方に延設した軸棒（３）と、
前記軸棒（３）の前端部に設けた第一膝当て部（４）と、
前記ピストンロッド（１０ｃ）の後端部に設けた第二膝当て部（５）と、
前記シリンダー本体（１０ａ）の前端部に、当該シリンダー本体（１０ａ）の内部と連通させて設けた圧力計（６）と、からなり、
前記第一膝当て部（４）と第二膝当て部（５）を使用者の両膝（Ｇ）の内側で挟んで内方へ押圧して、前記シリンダー本体（１０ａ）の油圧を上昇させ、当該上昇した油圧を前記圧力計（６）で筋力として表示してなることを特徴とする。
【００１０】
また、請求項３に記載の内転筋群筋力測定装置（１）は、前記第一膝当て部（４）と第二膝当て部（５）の膝（Ｇ）に当接する面を、前記膝（Ｇ）の内側形状に対応した横断面を前方に曲部を有する略Ｊ字状の湾曲面（Ｂ）としたことを特徴とする。
【００１１】
また、請求項４に記載の内転筋群筋力測定装置（１）は、前記第一膝当て部（４）と第二膝当て部（５）の膝（Ｇ）に当接する面を、前記膝（Ｇ）の内側形状に対応した縦断面を外方に開口を有する略Ｃ字状の円弧面（Ｃ）としたことを特徴とする。
【００１２】
さらに、請求項５に記載の内転筋群筋力測定装置（１）は、前記エアーシリンダー（２）のシリンダー本体（２ａ）の前端部に、当該シリンダー本体（２ａ）の内部と連通させてエアーを自由に吸排気可能なエアーストップ弁（７）を設けたことを特徴とする。
【００１３】
またさらに、請求項６に記載の内転筋群筋力測定装置（１）は、前記軸棒（３）をネジ棒で構成し、前記第一膝当て部（４）を、前記シリンダー本体（２ａ、１０ａ）に対して回動自在および接離自在に取付けたことを特徴とする。
【００１４】
なお、カッコ内の記号は、図面および後述する発明を実施するための最良の形態に記載された対応要素または対応事項を示す。
【発明の効果】
【００１５】
本発明の請求項１に記載の内転筋群筋力測定装置によれば、エアーシリンダー、軸棒、第一膝当て部、第二膝当て部および圧力計で構成しているので、従来の歪みセンサー部と、信号処理部をケーブルで連結したものと比較して、構成が簡易で小型である。
また、第一膝当て部と第二膝当て部を使用者の両膝の内側で挟んで内方へ押圧することによって、シリンダー本体のエアー圧力を上昇させ、上昇したエアー圧力を圧力計で筋力として表示するので、測定作業が極めて容易であり、測定精度も高い。
また、電源を必要としないので測定場所が限定されず、経済的でもある。
【００１６】
なお、エアーシリンダーを使用し、シリンダー本体のエアーを圧縮することによって筋力を測定するので、エアーの圧縮収縮性により、膝に加わる反力は柔らかい。
従って、膝への負担を少なくすることができる。
【００１７】
また、請求項２に記載の内転筋群筋力測定装置によれば、油圧シリンダー、軸棒、第一膝当て部、第二膝当て部および圧力計で構成しているので、構成が簡易で小型である。
また、第一膝当て部と第二膝当て部を使用者の両膝の内側で挟んで内方へ押圧することによって、シリンダー本体の油圧を上昇させ、上昇した油圧を圧力計で筋力として表示するので、測定作業が極めて容易であり、測定精度も高い。
また、電源が不要なので測定場所が限定されず、経済的である。
【００１８】
なお、油圧シリンダーを使用したので、作動油の収縮性が小さいことから、収縮性の小さなシリンダー特性が得られるが、作動油に微量のエアーを含ませることによって、そのエアーの収縮性により、エアーシリンダーを利用した場合と同様に、膝への負担を小さくすることができる。
【００１９】
また、請求項３に記載の発明によれば、請求項１および２に記載の発明の作用効果に加えて、第一膝当て部と第二膝当て部の膝に当接する面を、膝の内側形状に対応した横断面を前方に曲部を有する略Ｊ字状の湾曲面としたので、両膝の押圧力を、逃がすことなくピストンロッドおよび軸棒に、その軸心方向に向かって正確に伝達させることができる。
これにより、内転筋群の筋力をさらに正確に測定することができる。
【００２０】
また、請求項４に記載の発明によれば、請求項１乃至３に記載の発明の作用効果に加えて、第一膝当て部と第二膝当て部の膝に当接する面を、膝の内側形状に対応した縦断面を外方に開口を有する略Ｃ字状の円弧面としたので、両膝の押圧力を、逃がすことなくピストンロッドおよび軸棒に伝達させることができ、従って、内転筋群の筋力をさらに正確に測定することができる。
【００２１】
さらに、請求項５に記載の発明によれば、請求項１、３および４に記載の発明の作用効果に加えて、エアーシリンダーのシリンダー本体の前端部に、シリンダー本体の内部と連通させてエアーを自由に吸排気可能なエアーストップ弁を設けたので、シリンダー本体のエアー量を増減して、第一膝当て部と第二膝当て部との間隔を調節し、使用者の両膝間の間隔に対応させることができる。
また、ピストンがシリンダー本体の全行程にわたって円滑に摺動するか否かを確認することができる。エアーシリンダーは、組立て時にシリンダー本体やピストン等に潤滑剤を塗布するが、永年使用の過程で、空気中の水分や塵などにより、ピストンの進退動が重くなり、正確な筋力の測定ができなくなる可能性がある。エアーストップ弁を設けることによって、こうしたピストンの進退動を容易に確認することができる。
【００２２】
またさらに、請求項６に記載の発明によれば、請求項１乃至５に記載の発明の作用効果に加えて、軸棒をネジ棒で構成し、第一膝当て部を、シリンダー本体に回動自在および接離自在に取り付けたので、回動して、シリンダー本体に接近または離隔することによって、当該第一膝当て部と第二膝当て部との間隔を調節することができる。
これにより、使用者の両膝間の間隔に対応させることができる。
また、第一膝当て部を膝に当接した状態の測定中に、圧力計（およびシリンダー本体）を自在に回動して、使用者自身が見易い位置に配し、その数値を確認することができるので、使用性にも優れる。特に、膝のリハビリに使用する場合は、使用者自身が筋力を直接確認できるので、当該リハビリの効果が高まる。なお、第二膝当て部は、ピストンロッドに連結しているので、シリンダー本体に対して自在に回動する。
【発明を実施するための最良の形態】
【００２３】
図１乃至図３を参照して、本発明の実施形態に係る内転筋群筋力測定装置１について説明する。図１は、本発明の実施形態に係る内転筋群筋力測定装置１を、使用者が椅子Ｓに座った座位姿勢で使用している状態を示す側面図（使用者の正面図）、図２は内転筋群筋力測定装置１を示す平面図である。また、図３は内転筋群筋力測定装置１の部分拡大横断面図である。なお、この内転筋群筋力測定装置１は、座位姿勢のみでなく、立位姿勢で使用することもできる。
【００２４】
本発明の実施形態に係る内転筋群筋力測定装置１は、恥骨筋、短内転筋、長内転筋、大内転筋、および薄筋から構成され、大腿骨の内側に位置する内転筋群Ｍの筋力を測定する装置であり、主に、エアーシリンダー２、軸棒３、第一膝当て部４、第二膝当て部５、圧力計６、およびエアーストップ弁７を備える。
【００２５】
エアーシリンダー２は、図２に示すように、円筒状のシリンダー本体２ａに、その後面側から侵入させたピストンロッド２ｃによって進退動する円板状のピストン２ｂを内蔵したものである。軸棒３は、シリンダー本体２ａの前面側から、その軸心がピストンロッド２ｃの軸心と一直線をなすように前方に延設している。
【００２６】
なお、本実施形態における軸棒３は、ネジ棒で構成し、その一端部（後端部）を、シリンダー本体２ａの前面側に固定した雌ネジ部材９に螺合することによって、第一膝当て部４を、シリンダー本体２ａに対して回動自在および接離自在に取付けている。
【００２７】
第一膝当て部４は、軸棒３の前端部に固定され、第二膝当て部５は、ピストンロッド２ｃの後端部に固定されている。圧力計６は、シリンダー本体２ａの前端部に、シリンダー本体２ａの内部と連通する連通管８を介して設けられている。本実施形態の圧力計６は、指針タイプの圧力計を使用しているが、これに代えて、電池式デジタル圧力計を使用することもできる。
【００２８】
第一膝当て部４と第二膝当て部５は、図３に示すように、膝Ｇに当接する面を、膝Ｇの内側形状に対応した横断面を前方に曲部を有する略Ｊ字状の湾曲面Ｂとしている。また、膝Ｇに当接する面は、平面略Ｊ字状の湾曲面Ｂでもある。
なお、これに加えて、図４に示すように、膝Ｇに当接する面を、膝Ｇの内側形状に対応した縦断面を外方に開口を有する略Ｃ字状の円弧面Ｃとすることもできる。また、膝Ｇに当接する面は、正面略Ｃ字状の円弧面Ｃでもある。
なお、第一膝当て部４と第二膝当て部５の膝Ｇに当接する面に、フェルトのような柔軟な材料を設け、膝Ｇへの負担をさらに軽減することもできる。
【００２９】
また、エアーストップ弁７は、シリンダー本体２ａの前端部に連通させて設けた連通管８の末端部に設けられ、シリンダー本体２ａ内のエアーを自由に吸排気可能としている。なお、シリンダー本体２ａの後端部に通気孔Ｈを設け、ピストン２ｂの進退動が円滑に行えるようにしている。
【００３０】
この内転筋群筋力測定装置１は、第一膝当て部４と第二膝当て部５を使用者の両膝Ｇの内側で挟んで内方へ押圧して、シリンダー本体２ａのエアー圧力を上昇させ、その上昇したエアー圧力を圧力計６で筋力として表示するものである。
【００３１】
なお、エアー圧力を筋力として表示するために、シリンダー本体２ａの内径が３２ｍｍの内転筋群筋力測定装置１を使用して得たエアー圧力を、以下の計算式によって筋力に換算した。なお、ピストン２ｂとシリンダー本体２ａ、およびピストンロッド２ｃとシリンダー本体２ａの摺動抵抗は、実測したところ、０．１５ｋｇ（１．４７Ｎ）と軽微であったので、無視することとした。
【００３２】
（式１）
Ｆ＝（π／４）×Ｄ2×ｐ
Ｆ：シリンダー本体に作用する圧縮力の強さ（ｋｇ）
Ｄ：シリンダー本体の直径（ｃｍ）
ｐ：シリンダー本体のエアー圧力（ｋｇ／ｃｍ2）
【００３３】
（式２）
ｐ＝Ｐ×（１（ｋｇ／ｃｍ2）／０．０９８（Ｍｐａ））
Ｐ：シリンダー本体のエアー圧力（Ｍｐａ）
ｐ：シリンダー本体のエアー圧力（ｋｇ／ｃｍ2）
【００３４】
（式３）
（式１）と（式２）から、
Ｆ＝（π／４）×Ｄ2×Ｐ×（１（ｋｇ／ｃｍ2）／０．０９８（Ｍｐａ））
Ｆ：シリンダー本体に作用する圧縮力の強さ（ｋｇ）
Ｄ：シリンダー本体の直径（ｃｍ）
Ｐ：シリンダー本体のエアー圧力（Ｍｐａ）
【００３５】
上記（式３）により、シリンダー本体のエアー圧力（Ｐ（Ｍｐａ））を、圧縮力の強さ（Ｆ（ｋｇ））に換算すると、（表１）に示す通りとなる。
【００３６】
【表１】
2008272039.tif 000003
【００３７】
また、（式３）から、圧縮力の強さ（Ｆ（ｋｇ））を、シリンダー本体２ａのエアー圧力（Ｐ（Ｍｐａ））に換算すると、（表２）に示す通りとなる。従って、圧力計６に表示されている数値（（表２）の右欄に示す数値）を、圧縮力の強さ（同表の左欄に示す数値）に置き換えて表示することとした。
【００３８】
【表２】
2008272039.tif 000004
【００３９】
本実施形態に係る内転筋群筋力測定装置１は、エアーシリンダー２、軸棒３、第一膝当て部４、第二膝当て部５、圧力計６およびエアーストップ弁７といったそれぞれが簡易な部材で構成しているので、全体構成も簡易で小型なものとすることができる。
【００４０】
また、第一膝当て部４と第二膝当て部５を使用者の両膝Ｇの内側で挟んで内方へ押圧することによって、シリンダー本体２ａのエアー圧力を上昇させ、上昇したエアー圧力を圧力計６で筋力として表示するので、測定作業が容易であり、測定精度も高い。
なお、電源が不要であるので、経済的であり、測定場所が限定されない。
【００４１】
また、第一膝当て部４と第二膝当て部５の膝Ｇに当接する面を、膝Ｇの内側形状に対応した横断面を前方に曲部を有する平面略Ｊ字状の湾曲面Ｂとしているので、両膝Ｇの押圧力を、逃がすことなくピストンロッド２ｃおよび軸棒３に、その軸心方向に向かって正確に伝達させることができる。
これにより、内転筋群Ｍの筋力を、より正確に測定することができる。
【００４２】
なお、第一膝当て部４および第二膝当て部５は複数を準備しておき、それぞれ軸棒３およびピストンロッド２ｃに着脱自在に取付け、使用者の膝Ｇの大きさや形に合わせて交換できるようにすることも可能である。
【００４３】
また、エアーシリンダー２を使用し、シリンダー本体２ａのエアーを圧縮することによって筋力を測定するので、エアーの圧縮収縮性により、膝Ｇに加わる反力は柔らかくなる。従って、膝Ｇへの負担が少ない。
【００４４】
なお、上記構成に加えて、第一膝当て部４と第二膝当て部５の膝Ｇに当接する面を、図４に示すように、膝Ｇの内側形状に対応した縦断面を外方に開口を有する略Ｃ字状の円弧面Ｃとすることによって、両膝Ｇの押圧力を、さらに逃がすことなくピストンロッド２ｃおよび軸棒３に伝達させることができる。
従って、内転筋群Ｍの筋力をさらに正確に測定することができる。
【００４５】
また、エアーシリンダー２のシリンダー本体２ａの前端部に、シリンダー本体２ａの内部と連通する連通管８を設け、それにエアーストップ弁７を設けているので、シリンダー本体２ａのエアーを自由に吸排気することができる。
これにより、シリンダー本体２ａのエアー量を増減して、第一膝当て部４と第二膝当て部５との間隔を調節し、使用者の両膝Ｇ間の間隔に対応させることができる。
【００４６】
また、エアーストップ弁７を設けたことで、ピストン２ｂがシリンダー本体２ａの全行程にわたって円滑に摺動するか否かを確認することができる。エアーシリンダー２は、永年使用の過程で、空気中の水分や塵などにより、ピストン２ｂの進退動が重くなり、正確な筋力の測定ができなくなる可能性がある。エアーストップ弁７を設けることによって、こうしたピストン２ｂの進退動を容易に確認することができる。
【００４７】
さらに、軸棒３をネジ棒で構成し、第一膝当て部４を、シリンダー本体２ａに対して回動自在および接離自在に取付けているので、回動して、シリンダー本体２ａに接近または離隔することによって、当該第一膝当て部４と第二膝当て部５との間隔を調節することができる。
これにより、使用者の両膝Ｇ間の間隔に対応させることができる。
【００４８】
さらに、第一膝当て部４を膝Ｇに当接した状態の測定中に、シリンダー本体２ａおよび圧力計６を自在に回動して見易い位置に配し、圧力計６の数値を確認することができるので、使用性にも優れる。なお、第二膝当て部５は、ピストンロッド２ｃに連結しているので、シリンダー本体２ａに対して自在に回動する。
【００４９】
なお、本発明者らは、上記実施形態に係る測定装置１を実際に製作した（シリンダー本体２ａの直径３２ｍｍ、ピストン２ｂの行程４０ｍｍ）。その全体重量は０．８６ｋｇと軽量で、かつ、強度的にも充分であった。各構成部品をさらに厳選することによって、一層の軽量化および小型化が可能であることを確認した。
【００５０】
上記実施形態に係る内転筋筋力測定装置１はエアーシリンダー２を使用して構成しているが、このエアーシリンダー２に代えて、図５に示すように、油圧シリンダー１０を使用して構成することもできる。ここで、符号１０ａはシリンダー本体、１０ｂはピストン、そして１０ｃはピストンロッドを示している。図２と同じ部分には同一符号を付した。
【００５１】
この油圧シリンダー１０は、作動油の収縮性が小さいので収縮性の小さなシリンダー特性を得ることができる。また、作動油に微量のエアーを含ませることもできる。
これによって、エアーシリンダー２を利用した場合と同様に、膝Ｇへの負担を軽減することができる。なお、この測定装置１では、油圧シリンダー１０を使用しているので、エアーシリンダー２を使用した場合に設けたエアーストップ弁７は不要であり、従って、測定装置１をさらに簡素化できるといった利点がある。
【図面の簡単な説明】
【００５２】
【図１】本発明の実施形態に係る内転筋群筋力測定装置の使用状態を示す側面図（使用者の正面図）である。
【図２】図１に示す測定装置の平面図である。
【図３】図１に示す測定装置の部分拡大横断面図である。
【図４】図３のＡ−Ａ線拡大断面図である。
【図５】本発明の他の実施形態に係る内転筋群筋力測定装置を示す平面図である。
【符号の説明】
【００５３】
１      内転筋群筋力測定装置
２      エアーシリンダー
２ａ    シリンダー本体
２ｂ    ピストン
２ｃ    ピストンロッド
３      軸棒
４      第一膝当て部
５      第二膝当て部
６      圧力計
７      エアーストップ弁
８      連通管
９      雌ネジ部材
１０      油圧シリンダー
１０ａ    シリンダー本体
１０ｂ    ピストン
１０ｃ    ピストンロッド
Ｂ      湾曲面
Ｃ      円弧面
Ｈ      通気孔
Ｍ      内転筋群
Ｇ      膝
Ｓ      椅子
【図１】
2008272039.tif 000005
【図２】
2008272039.tif 000006
【図３】
2008272039.tif 000007
【図４】
2008272039.tif 000008
【図５】
2008272039.tif 000009